(57)【要約】【課題】スライダ内の近接場光素子とスライダ外の光源、およびスライダ内の磁極および再生素子とスライダ外の電気配線とのそれぞれの接続を低コストにおこなうことのできるヘッドジンバルアセンブリ及びそれを備えた情報記録再生装置を提供すること。【解決手段】  フレクシャ２０４とスライダ２との間に、光ファイバ２０６の先端部を包み込む位置決め部４０１を配置し、位置決め部４０１の側面に電気配線５０２を設けて、スライダ２に設けられた磁極や再生素子と、フレクシャ２０４上のフレキシブル配線１３との電気的接続をおこなう。【選択図】図４
2010250904.tif 000002
【特許請求の範囲】
【請求項１】
記録媒体の表面に沿って延設されたサスペンションと、
前記サスペンションの先端側において、前記記録媒体の表面と対向するように配置されたスライダと、
前記スライダに接続された光導波路と、
前記サスペンション上に設けられた第１の電気配線と、
前記サスペンションと前記スライダとの間において、前記光導波路と前記スライダとの位置決めに用いられる平坦面を有する位置決め部と、を備え、
前記位置決め部の表面には、前記スライダと前記第１の電気配線とを接続する、第２の電気配線を有することを特徴とする熱アシスト磁気記録用ヘッドジンバルアセンブリ。
【請求項２】
前記光導波路の先端面は、前記光導波路内に導入された光束を前記スライダ方向に向けて反射させる反射膜が構成されていることを特徴とする請求項１に記載の熱アシスト磁気記録用ヘッドジンバルアセンブリ。
【請求項３】
前記位置決め部の前記表面の１つは前記先端面と同一平面をなし、前記第２の電気配線と、前記反射膜が、前記同一平面上に設けられることを特徴とする請求項２記載の熱アシスト磁気記録用ヘッドジンバルアセンブリ。
【請求項４】
前記第２の電気配線と、前記反射膜が、等しい膜厚であることを特徴とする請求項３記載の熱アシスト磁気記録用ヘッドジンバルアセンブリ。
【請求項５】
前記第２の電気配線の少なくとも一部が、前記位置決め部の表面のうち、前記サスペンションに対向する面に設けられていることを特徴とする請求項１記載の熱アシスト磁気記録用ヘッドジンバルアセンブリ。
【請求項６】
前記第２の電気配線が、前記第１の電気配線と接触接続されていることを特徴とする請求項５記載の熱アシスト磁気記録用ヘッドジンバルアセンブリ。
【請求項７】
前記第２の電気配線の少なくとも一部が、前記位置決め部の表面のうち、前記スライダに対向する面に設けられていることを特徴とする請求項１記載の熱アシスト磁気記録用ヘッドジンバルアセンブリ。
【請求項８】
前記位置決め部の前記表面は、前記先端面と同一平面をなす共通面と、前記第２の電気配線が備えられた配線面とを備え、
前記共通面と前記配線面とは、それぞれ傾きが異なることを特徴とする請求項１記載の熱アシスト磁気記録用ヘッドジンバルアセンブリ。
【請求項９】
前記位置決め部は複数備えられ、前記位置決め部のそれぞれは、前記光導波路に対して平行に配置されており、前記光導波路を挟み込むことを特徴とする請求項１記載の熱アシスト磁気記録用ヘッドジンバルアセンブリ。
【請求項１０】
請求項１から請求項９のいずれか１項に記載の熱アシスト磁気記録用ヘッドジンバルアセンブリと、前記記録媒体と、から構成される情報記録再生装置。
【発明の詳細な説明】
【技術分野】
【０００１】
本発明は、光を集光したスポット光を利用して記録媒体に各種の情報を記録再生するヘッドジンバルアセンブリ及びそれを備えた情報記録再生装置に関するものである。
【背景技術】
【０００２】
近年、コンピュータ機器におけるハードディスク等の記録媒体は、より大量且つ高密度情報の記録再生を行いたい等のニーズを受けて、さらなる高密度化が求められている。そのため、隣り合う磁区同士の影響や、熱揺らぎを最小限に抑えるために、保磁力の強いものが記録媒体として採用され始めている。そのため、記録媒体に情報を記録することが困難になっていた。
【０００３】
そこで、上述した不具合を解消するために、光を集光したスポット光、若しくは、光を集光した近接場光を利用して磁区を局所的に加熱して一時的に保磁力を低下させ、その間にディスクへの書き込みを行うハイブリッド磁気記録方式の情報記録再生装置が提供されている。特に、近接場光を利用する場合には、従来の光学系において限界とされていた光の波長以下となる領域における光学情報を扱うことが可能となる。よって、従来の光情報記録再生装置等を超える記録ビットの高密度化を図ることができる。
【０００４】
上述したハイブリッド磁気記録方式による情報記録再生装置としては、各種のものが提供されているが、その１つとして、近接場光の生成を行うための光を近接場光素子に供給することで、微小開口から十分大きな近接場光を生成し、超高分解能の再生記録、高速記録再生、高ＳＮ比化を図ることができる情報記録再生装置が知られている。この情報記録再生装置は、近接場光素子を備えたスライダに記録媒体上をスキャンさせ、スライダを記録媒体上の所望する位置に配置する。その後、光源から放射された近接場光とスライダから発生する記録磁界とを協働させることで、記録媒体に情報を記録することができる。
【０００５】
ここで、近接場素子に光束を供給する構成としては、例えば特許文献１に示されるように、近接場光素子を備えたスライダに、レーザを接続した基板（光源支持基板）を貼り付けるような構成が知られている。また、特許文献２に示されるように、近接場光素子を備えたスライダに、光ファイバ等の光導波路が接続されミラー機能を有する基板（ミラー基板）を貼り付けるような構成も知られている。
【先行技術文献】
【特許文献】
【０００６】
【特許文献１】特開２００８−５９６９６号公報
【特許文献２】特開２００６−３２３９０８号公報
【発明の概要】
【発明が解決しようとする課題】
【０００７】
しかしながら、上述の従来技術によるヘッドジンバルアセンブリでは、近接場光素子に光束を供給するために、レーザ、光導波路、ミラーといった光学系を保持するための基板をスライダとサスペンションの間に設けているため、スライダに設けられた記録磁界を発生させる磁極や記録媒体上の情報を再生する再生素子と、サスペンション上の電気配線との電気的接続が困難である。
【０００８】
例えば特許文献１の図２においては、磁極や再生素子に接続された電極パッドと、サスペンション上の電気配線を前述の基板をまたぐようにボンディングワイヤで接続しているが、このような工数のかかる手法は現在の情報記録再生装置（ハードディスクドライブ）では用いられておらず、新たに採用することは製造コストの増加につながる。
【０００９】
そこで本発明は、このような事情に考慮してなされたもので、その目的は、スライダ内の近接場光素子とスライダ外の光源、およびスライダ内の磁極および再生素子とスライダ外の電気配線とのそれぞれの接続を低コストにおこなうことのできるヘッドジンバルアセンブリ及びそれを備えた情報記録再生装置を提供することである。
【課題を解決するための手段】
【００１０】
本発明は、上記目的を達成するために、以下の手段を提供する。
本発明に係る熱アシスト磁気記録用ヘッドジンバルアセンブリは、記録媒体の表面に沿って延設されたサスペンションと、前記サスペンションの先端側において、前記記録媒体の表面と対向するように配置されたスライダと、前記スライダに接続された光導波路と、前記サスペンション上に設けられた第１の電気配線と、前記サスペンションと前記スライダとの間において、前記光導波路と前記スライダとの位置決めに用いられる平坦面を有する位置決め部と、を備え、前記位置決め部の表面には、前記スライダと前記第１の電気配線とを接続する、第２の電気配線を有することを特徴とするものである。
【００１１】
本発明に係る熱アシスト磁気記録用ヘッドジンバルアセンブリにおいては、位置決め部に第２の電気配線を設けたことにより、サスペンション上に設けられた第１の電気配線とスライダとの電気的接続を、サスペンションとスライダの間に位置決め部を設けているにも関わらず、従来工法であるボールボンディングにより実現することが出来る。よって、加工工数及び製造コストを低減して、製造効率を向上させることができる。
また、位置決め部があるために、光導波路をサスペンションとスライダの間に配置でき、光導波路によって導いた光を、スライダに容易に導入することが出来る。つまり、位置決め部とその表面に設けられた第２の電気配線により、電気的接続と光学的接続を容易に実現することが出来る。
【００１２】
また、本発明に係る熱アシスト磁気記録用ヘッドジンバルアセンブリは、前記光導波路の先端面は、前記光導波路内に導入された光束を前記スライダ方向に向けて反射させる反射膜が構成されていることを特徴とするものである。
【００１３】
本発明に係る熱アシスト磁気記録用ヘッドジンバルアセンブリにおいては、光導波路の先端面に、反射膜を設けたことにより、光導波路によって導いた光を効率よくスライダに導入することが出来る。
【００１４】
また、本発明に係る熱アシスト磁気記録用ヘッドジンバルアセンブリは、前記位置決め部の前記表面の１つは前記先端面と同一平面をなし、前記第２の電気配線と、前記反射膜が、前記同一平面上に設けられることを特徴とするものである。
【００１５】
本発明に係る熱アシスト磁気記録用ヘッドジンバルアセンブリにおいては、同一平面上に、第２の電気配線と反射膜が設けられているため、加工の工数を少なくすることができ、製造コストを低減させることが出来る。
【００１６】
また、本発明に係る熱アシスト磁気記録用ヘッドジンバルアセンブリは、前記第２の電気配線と、前記反射膜が、等しい膜厚であることを特徴とするものである。
【００１７】
本発明に係る熱アシスト磁気記録用ヘッドジンバルアセンブリにおいては、第２の電気配線と反射膜が、等しい膜厚であるため、一括加工ができる。そのため製造コストを低減させることが出来る。
【００１８】
また、本発明に係る熱アシスト磁気記録用ヘッドジンバルアセンブリは、前記第２の電気配線の少なくとも一部が、前記位置決め部の表面のうち、前記サスペンションに対向する面に設けられていることを特徴とするものである。
【００１９】
本発明に係る熱アシスト磁気記録用ヘッドジンバルアセンブリにおいては、第２の電気配線の少なくとも一部が、サスペンションに対向するように配置されており、第２の電気配線とサスペンション上に設けられた第１の電気配線を対向配置させることができる。これにより、電気的な接続を容易におこなうことが出来るため、安定した性能のヘッドジンバルアセンブリを低コストに製造することが出来る。
【００２０】
また、本発明に係る熱アシスト磁気記録用ヘッドジンバルアセンブリは、前記第２の電気配線が、前記第１の電気配線と接触接続されていることを特徴とするものである。
【００２１】
本発明に係る熱アシスト磁気記録用ヘッドジンバルアセンブリにおいては、第１の電気配線と、第２の電気配線が接触接続されるため、電気的な接続を容易におこなうことが出来る。よって、安定した性能のヘッドジンバルアセンブリを低コストに製造することが出来る。
【００２２】
また、本発明に係る熱アシスト磁気記録用ヘッドジンバルアセンブリは、前記第２の電気配線の少なくとも一部が、前記位置決め部の表面のうち、前記スライダに対向する面に設けられていることを特徴とするものである。
【００２３】
本発明に係る熱アシスト磁気記録用ヘッドジンバルアセンブリにおいては、第２の電気配線が、スライダに対向する位置決め部の表面に配置されているため、第２の電気配線とスライダとの電気配線が容易になる。よって、製造時の歩留まりを向上させることが出来る。なお、本発明に係る熱アシスト磁気記録用ヘッドジンバルアセンブリは、前記位置決め部の前記表面は、前記先端面と同一平面をなす共通面と、前記第２の電気配線が備えられた配線面とを備え、前記共通面と前記配線面とは、それぞれ傾きが異なっていてもよい。さらに、本発明に係る熱アシスト磁気記録用ヘッドジンバルアセンブリは、前記位置決め部は複数備えられ、前記位置決め部のそれぞれは、前記光導波路に対して平行に配置されており、前記光導波路を挟み込んでも良い。
【００２４】
また、本発明に係る情報記録再生装置は、上記本発明の熱アシスト磁気記録用ヘッドジンバルアセンブリと、前記記録媒体と、から構成されることを特徴とするものである。
【００２５】
本発明に係る情報記録再生装置においては、記録媒体を回転させた後、ピボット軸まわりにキャリッジを回動させて、サスペンションに支持されたスライダをスキャンさせる。そして、スライダを記録媒体上の所望する位置に配置させる。その後、光源から光導波路内に光束を入射させる。これにより、ヘッドジンバルアセンブリのスライダを利用して、記録媒体に各種の情報の記録再生を行うことができる。
特に、本発明のヘッドジンバルアセンブリを備えているので、情報の記録再生を正確且つ高密度に行うことができ、高品質化を図ることができる。また、安定した性能の情報記録再生装置を安価に製造することが出来る。
【発明の効果】
【００２６】
本発明に係るヘッドジンバルアセンブリによれば、電気的接続と光学的接続を同時かつ容易に実現することが出来るため、加工コスト及び製造コストを低減して製造効率を向上させることができる。よって、高性能な情報記録再生装置を安価に提供することができる。
【図面の簡単な説明】
【００２７】
【図１】本発明に係る情報記録再生装置の一実施形態を示す構成図である。
【図２】図１に示すヘッドジンバルアセンブリの斜視図である。
【図３】図２に示すヘッドジンバルアセンブリの拡大図である。
【図４】第１実施形態に係る図３のＡ−Ａ’線に沿う断面図である。
【図５】第１実施形態に係る光ファイバと位置決め部の斜視図である。
【図６】第１実施形態に係る図５のＢ−Ｂ’線に沿う断面図である。
【図７】第２実施形態に係る光ファイバと位置決め部の斜視図である。
【図８】第２実施形態に係るヘッドジンバルアセンブリの断面図である。
【図９】第３実施形態に係る光ファイバと位置決め部の斜視図である。
【図１０】第３実施形態に係るヘッドジンバルアセンブリの断面図である。
【図１１】本発明に係る光ファイバと位置決め部の別の変形例を示す斜視図である。
【図１２】本発明に係る光ファイバと位置決め部の別の変形例を示す斜視図である。
【発明を実施するための形態】
【００２８】
（第１実施形態）
以下、本発明に係る第１実施形態を、図１から図６を参照して説明する。図１は、本発明に係る情報記録再生装置１の一実施形態を示す構成図である。なお、本実施形態の情報記録再生装置１は、磁気記録層を有する記録媒体Ｄに対して、熱アシスト磁気記録方式で書き込みを行う装置である。
【００２９】
図１に示すように本実施形態の情報記録再生装置１において、スライダ２が固定されたサスペンション３が、キャリッジ１１に固定されている。スライダ２とサスペンション３を合わせて、ヘッドジンバルアセンブリ１２と呼ぶ。円盤状の記録媒体Ｄはスピンドルモータ７によって所定の方向に回転する。キャリッジ１１はピボット１０を中心に回転可能になっており、制御部５からの制御信号によって制御されるアクチュエータ６によって回転し、スライダ２を記録媒体Ｄ表面の所定の位置に配置することができる。ハウジング９はアルミニウムなどから成る箱状（図１では説明を分かりやすくするため、ハウジング９の周囲を取り囲む周壁を省略している）ものであり、上記の部品をその内部に格納している。スピンドルモータ７はハウジング９の底面に固定されている。スライダ２は記録媒体Ｄに向けて磁場を発生させる磁極（図示略）と、近接場光スポットを発生する近接場光素子（図示略）と、記録媒体Ｄに記録された情報を再生する再生素子（図示略）を有している。磁極と再生素子は、サスペンション３およびキャリッジ１１に沿って敷設されたフレキシブル配線（第１の電気配線）１３、キャリッジ１１側面に設けられたターミナル１４およびフラットケーブル４を介して制御部５に接続されている。フレキシブル配線１３は複数本の配線が含まれている。
【００３０】
記録媒体Ｄは１枚でも良いが、図１に示すように複数枚設けても良い。記録媒体Ｄの枚数が増えれば、ヘッドジンバルアセンブリ１２の個数も増加する。図１では記録媒体Ｄの片面側のみにヘッドジンバルアセンブリ１２が設けられている構成を示しているが、両面に設けても良い。よって、ヘッドジンバルアセンブリ１２の個数は、最大で記録媒体Ｄの枚数の倍になる。これにより、情報記録再生装置の記録容量の増加及び装置の小型化を図ることができる。
【００３１】
図２は第１実施形態に係るヘッドジンバルアセンブリ１２の拡大図である。サスペンション３は、ステンレス薄板を材料とする、ベースプレート２０１、ヒンジ２０２、ロードビーム２０３、フレクシャ２０４からなる。ベースプレート２０１は、その一部に設けられた取り付け穴２０１ａにより、キャリッジ１１に固定されている。ヒンジ２０２はベースプレート２０１とロードビーム２０３を接続している。ヒンジ２０２はベースプレート２０１とロードビーム２０３よりも薄くなっており、ヒンジ２０２を中心としてサスペンション３がたわむようになっている。フレクシャ２０４はロードビーム２０３、ヒンジ２０２に固定された細長い部材であり、ロードビーム２０３やベースプレート２０１よりも薄くなっており、たわみやすく出来ている。フレクシャ２０４の先端には略直方体形状のスライダ２が固定されている。さらに、フレクシャ２０４上にはフレキシブル配線１３が設けられている。フレキシブル配線１３はポリイミド等の樹脂製絶縁薄膜の上に、銅、アルミニウム、金等の材料からなる電気配線が複数本設けられたものである。取り付け穴２０１ａ近傍のフレキシブル配線１３上にはレーザ２０５が配置され、フレキシブル配線１３と電気的に接続されている。レーザ２０５とスライダ２は光ファイバ２０６を介して光学的に接続されている。制御部５からの電気信号によりレーザ２０５が駆動し、レーザ２０５からの光が光ファイバ２０６によりスライダ２に設けられた近接場光素子に導かれる。光ファイバ２０６は、サスペンション３上に固定されたスリーブ２０７により長手方向自由に支持されている。図２ではレーザ２０５は取り付け穴２０１ａ近傍に設置しているが、キャリッジ１１、あるいは制御部５近傍に配置されていても良い。
【００３２】
スライダ２の表面のうちフレクシャ２０４に固定された面の反対面は、記録媒体Ｄに対向する面である。この面は回転する記録媒体Ｄによって生じた空気流の粘性から、スライダ２が浮上するための圧力を発生させる面であり、ＡＢＳ（Ａｉｒ  Ｂｅａｒｉｎｇ  Ｓｕｒｆａｃｅ）と呼ばれている。ＡＢＳ上には図示を略した凹凸形状が設けられており、スライダ２と記録媒体Ｄ間に所望の圧力分布を発生させている。スライダ２を記録媒体Ｄから離そうとする正圧とスライダ２を記録媒体Ｄに引き付けようとする負圧と、サスペンション３による押しつけ力の釣り合いで、スライダ２は所望の状態で浮上している。記録媒体Ｄとスライダ２のすきまの最低値は１０ｎｍ程度もしくはそれ以下となっている。サスペンション３による押しつけ力は主にヒンジ２０２の弾性により発生している。また、記録媒体Ｄ表面のうねりに対して、ヒンジ２０２およびフレクシャ２０４がたわむことで、所望の浮上状態を維持することが出来る。
【００３３】
図３は第１実施形態に係るスライダ２近傍の拡大図である。スライダ２の端部のうち、サスペンション３の根本側（キャリッジ１１側）は流入端２ａと呼ばれている。その反対のサスペンション３の先端側は、スライダ２の流出端２ｂと呼ばれている。これらは、前述の記録媒体Ｄによる空気流の方向に基づいて名付けられている。磁極（図示略）、近接場光素子（図示略）および再生素子（図示略）は、スライダ２の流出端２ｂ側の側面に設けられている。サスペンション３の根本から延設されたフレキシブル配線１３は、途中から２本に分かれて、スライダ２の両側を回り込むように、流出端２ｂ側の磁極および再生素子に接続されている。逆に、光ファイバ２０６は流入端２ａ側から挿入されている。これは、一般に光ファイバは電気配線よりも曲げに弱く、スライダ２を回り込むような配線を行えないためである。
【００３４】
図４は図３のＡ−Ａ’線に沿う断面図である。光ファイバ２０６の先端部には平板からなる位置決め部４０１が設けられている。位置決め部４０１はフレクシャ２０４とスライダ２に挟まれるように固定されている。図５は光ファイバ２０６と位置決め部４０１の構造を示す斜視図である。図６は図５のＢ−Ｂ’線に沿う断面図である。
【００３５】
光ファイバ２０６と位置決め部４０１の構成について、図５と図６を用いて以下に説明する。光ファイバ２０６の先端面と位置決め部４０１の先端面４０１ａとは面一に構成されており、その先端面４０１ａは光ファイバ２０６の軸方向（長手方向）に対して４５度に傾斜した面となっている。光ファイバ２０６の先端面上には反射膜５０１が形成されており、光ファイバ２０６によって導かれた光を９０度曲げる機能を持つ。つまり、これにより光ファイバ２０６からの光をスライダ２方向に入射させることが出来る。反射膜５０１はアルミニウムを用いるが、金など他の金属でも良い。また、反射膜を用いない構成も可能であり、この場合は光ファイバ２０６の先端面における全反射によって光を曲げることができる。先端面４０１ａ上には反射膜５０１と隣り合うように複数の電気配線（第２の電気配線）５０２が設けられている。電気配線５０２の材料は反射膜５０１と同様にすることで加工が容易になるが、異なる材料を用いても良い。光ファイバ２０６はコア２０６ａとそれを覆うクラッド２０６ｂからなる。クラッド２０６ｂよりもコア２０６ａの屈折率を高くすることで、コア２０６ａに沿って光を導くことが出来る。コア２０６ａとクラッド２０６ｂのそれぞれの断面形状は同心円状となっているが、クラッド２０６ｂの一部はクラッド２０６ｂの断面形状に弦を張るような平坦面２０６ｃを有している。この平坦面２０６ｃは位置決め部４０１の底面４０１ｂと面一になるように構成されている。反射膜５０１で曲げられた光は、平坦面２０６ｃを介してスライダに導かれる。なお、位置決め部４０１と光ファイバ２０６とを組み付けるには、位置決め部４０１を成型した後に位置決め部４０１に貫通孔を形成し、この貫通孔内に光ファイバ２０６を組み付けたり、また位置決め部４０１の成形時に光ファイバ２０６の先端部分をモールドしたりすることも可能である。その後、位置決め部４０１と光ファイバ２０６を研磨することで、面一の底面４０１ｂと平坦面２０６ｃを形成することが出来る。位置決め部４０１の材料は樹脂、焼結材料、金属などを用いることが出来る。
【００３６】
次に図４を用いて、位置決め部４０１近傍の電気的接続について説明する。スライダ２の流出端２ｂ側の側面には、磁極（図示略）と再生素子（図示略）から引き出された複数の電極４０２が露出している。磁極や再生素子の他にも駆動すべき素子があればそれに対応して電極４０２も増える。電極４０２と位置決め部４０１の先端面４０１ａに設けられた電気配線５０２（図４では反射膜５０１の陰になって見えない）は、ボール４０３を使ったボールボンディングにより接続される。電気配線５０２は電極４０２と同じ数だけ存在する。さらに、電気配線５０２とフレキシブル配線１３も、ボール４０４を使ったボールボンディングにより接続される。ボール４０３、ボール４０４の材料は金や金合金やハンダなどである。これによって、制御部５と磁極および再生素子は電気的に接続される。
【００３７】
ここで、本実施形態の情報記録再生装置１では、フレクシャ２０４とスライダ２との間に、光ファイバ２０６の先端部を包み込む位置決め部４０１を配置し、位置決め部４０１の側面に電気配線５０２を設けて、スライダ２に設けられた磁極や再生素子と、フレクシャ２０４上のフレキシブル配線１３との電気的接続をおこなう構成とした。
この構成によれば、電気配線５０２を設けたことにより、フレキシブル配線１３と磁極や再生素子との電気的接続を、フレクシャ２０４とスライダ２の間に位置決め部４０１を設けているにも関わらず、従来工法であるボールボンディングにより実現することが出来る。よって、加工工数及び製造コストを低減して、製造効率を向上させることができる。
また、位置決め部４０１があるために、光ファイバ２０６をフレクシャ２０４とスライダ２の間に配置でき、光ファイバ２０６によって導いた光を、スライダ２に設けられた近接場光素子に容易に導入することが出来る。つまり、位置決め部４０１とその側面に設けられた電気配線５０２により、電気的接続と光学的接続を容易に実現することが出来る。
さらに、本発明の情報記録再生装置１は、上述したヘッドジンバルアセンブリ１２を備えているので、情報の記録再生を正確且つ高密度に行うことができ、高品質化を図ることができる。
【００３８】
（第２実施形態）
次に、図７、８に基づいて本発明の第２実施形態について説明する。図７は、第２実施形態における光ファイバおよび位置決め部の斜視図であり、図８は、スライダ近傍におけるヘッドジンバルアセンブリの断面図である。なお、以下の説明では、上述した第１実施形態と同様の構成については同様の符号を付し、説明は省略する。
【００３９】
図７に示すように、第１実施形態と異なる点は、位置決め部４０１の先端面４０１ａに設けられた電気配線７０１が位置決め部４０１の上面４０１ｃ上まで伸びている点である。電気配線７０１は第1実施形態と同様にスライダ２上の磁極等の素子の数に合わせて複数個設けられている。
【００４０】
図８に示すように、フレクシャ２０４上に形成されたフレキシブル配線７０２は、位置決め部４０１の上面４０１ｃ上の電気配線７０１に被さるように延設されている。フレキシブル配線７０２と電気配線７０１は接触により電気的に接続されている。電気配線７０１は金、金合金、アルミニウム、銅などの材料からなっている。例えば金スズ合金を用い、フレキシブル配線７０２内の電気配線に金を用いることで、フレキシブル配線７０２と電気配線７０１を共晶結合により接触固定することが出来る。また、ハンダや銀ペーストにより、フレキシブル配線７０２と電気配線７０１を固定することも出来る。電気配線７０１は電極４０２と、ボール４０３を用いたボールボンディングにより電気的に接続されている。
本実施形態では、前述の第１実施形態の効果に加えて、第１実施形態に比べてボールボンディング工程が１つ減ることにより、更に低コストに製造をおこなうことが出来る。
【００４１】
（第３実施形態）
次に、図９、１０に基づいて本発明の第３実施形態について説明する。図９は、第３実施形態における光ファイバおよび位置決め部の斜視図であり、図１０は、スライダ近傍におけるヘッドジンバルアセンブリの断面図である。なお、以下の説明では、上述した第１実施形態と同様の構成については同様の符号を付し、説明は省略する。
【００４２】
図９に示すように、第１実施形態と異なる点は、位置決め部４０１の先端面４０１ａに設けられた電気配線９０１が位置決め部４０１の下面４０１ｂ（図示略）上まで伸びている点である。電気配線９０１は第1実施形態と同様にスライダ２上の磁極等の素子の数に合わせて複数個設けられている。電気配線９０１はアルミニウム、金、金合金、銅などの金属材料を用いる。
【００４３】
図１０に示すように、位置決め部４０１の下面４０１ｂにはスライダ２が固定されており、同様に下面４０１ｂに設けられた電気配線９０１とは干渉しないように位置が調整されている。これにより、スライダ２表面の電極４０２と下面４０１ｂに設けられた電気配線９０１とは、互いに９０度の角度をなして近接している。電気配線９０１と電極４０２はボール９０２を用いたボールボンディングにより電気的に接続されている。また、電気配線９０１とフレキシブル配線１３も、ボール４０４を用いたボールボンディングにより電気的に接続されている。ボール９０２、ボール４０４の材料は金や金合金やハンダなどである。
【００４４】
本実施形態では、前述の第１実施形態の効果に加えて、電気配線９０１と電極４０２が互いに９０度の角度をなして近接していることから、ボール９０２を用いたボールボンディングによる接続が容易になっている。よって、製造時の歩留まりを向上させることが出来る。
【００４５】
なお、本発明の技術範囲は、上述した実施形態に限定されるものではなく、本発明の趣旨を逸脱しない範囲において、上述した実施形態に種々の変更を加えたものを含む。すなわち、上述した実施形態で挙げた構成等はほんの一例に過ぎず、適宜変更が可能である。例えば、上述した各実施形態を適宜組み合わせて採用することも可能である。
【００４６】
また、図１１に示すように位置決め部４０１の先端面４０１ｄを傾斜させずに垂直にすることも出来る。この場合、光ファイバ２０６の先端面（共通面）２０６ｄおよびその近傍の位置決め部４０１の側面（共通面）のみが、光ファイバ２０６の軸方向（長手方向）に対して４５度に傾斜している。光ファイバ２０６によって導かれた光は先端面２０６ｄにて全反射して９０度曲げられる。電気配線１１０１は垂直な先端面（配線面）４０１ｄ上に設けられる。
なお、光ファイバ２０６の先端面２０６ｄおよびその近傍の位置決め部４０１の側面と、電気配線１１０１が備えられた先端面とは、両者が４５度の関係となるように備えられているが、これに限定されずにそれ以外の角度で備えられていても良い。かかる特徴によれば、位置決め部４０１の先端面の形状を多様化させることができるため、スライダ２の外形形状に合わせて位置決め部４０１の先端面の形状を設計することができ、スライダ２と２０６との位置決め精度を向上させることができる。
【００４７】
また、図１２に示すように位置決め部１２０１が光ファイバ２０６と接触していなくても良い。１対の位置決め部１２０１は光ファイバ２０６を挟み込むように設けられている。光ファイバ２０６はスライダ２に固定され、位置決め部１２０１はスライダ２とフレクシャ２０４に固定されている。電気配線１２０２は位置決め部１２０１の先端面１２０１ａに設けられている点は、上述した各実施形態と同様である。
【００４８】
また、上述の実施形態では、スライダを浮上させた空気浮上タイプの情報記録再生装置を例に挙げて説明したが、この場合に限られず、ディスク面に対向配置されていればディスクとスライダとが接触していても構わない。つまり、本発明のスライダは、コンタクトスライダタイプのスライダであっても構わない。この場合であっても、同様の作用効果を奏することができる。
【符号の説明】
【００４９】
Ｄ記録媒体  １情報記録再生装置  ２スライダ  ３サスペンション  １１キャリッジ  １２ヘッドジンバルアセンブリ  １３フレキシブル配線  ２０４フレクシャ  ２０６光ファイバ  ４０１位置決め部  ４０２電極  ４０３，４０４ボール  ５０１反射面  ５０２電気配線
【図１】
2010250904.tif 000003
【図２】
2010250904.tif 000004
【図３】
2010250904.tif 000005
【図４】
2010250904.tif 000006
【図５】
2010250904.tif 000007
【図６】
2010250904.tif 000008
【図７】
2010250904.tif 000009
【図８】
2010250904.tif 000010
【図９】
2010250904.tif 000011
【図１０】
2010250904.tif 000012
【図１１】
2010250904.tif 000013
【図１２】
2010250904.tif 000014